(57)【要約】【課題】縦方向の面に取り付けた場合でも、ボトルに対する収容袋の収容、取り出しを容易に行える医療用吸引器を提供する。【解決手段】内部に圧力調整機構２が配置され所定位置に取付片６が配置された取付部材Ａと、取付部材で調整された圧力が作用する通路１１とボトル固定爪１３ａとを有する蓋体１０と、下端側に回動軸２１ａが配置され該回動軸よりも上部に屈折リンク片２２ａが接続された垂下片２０と、下端側が回動軸に支持され回動軸よりも上部に屈折リンク片２２ｂが接続され所定位置に嵌合穴３１が形成されたボトル支持体３０と、を有する本体Ｂと、上端が開放され、ボトル支持体の嵌合穴に嵌合して支持される支持突起４４が形成されたボトルＣと、を有し、ボトルの支持突起をボトル支持体の嵌合穴に嵌合させて支持すると共に、該ボトル支持体を回動させてボトル固定爪をボトルの上縁４１の一部に係合させて本体に取り付ける。【選択図】        図１
2020032016.tif 000002
【特許請求の範囲】
【請求項１】
壁面又は支持スタンドを含む縦方向の面に取り付けられる医療用吸引器であって、
内部に圧力調整機構が配置されると共に所定位置に取付片が配置された取付部材と、
前記取付部材で調整された圧力が作用する通路とボトル固定爪とを有する蓋体と、該蓋体から垂下され下端側に回動軸が配置されると共に該回動軸よりも上部に屈折リンク片が接続された垂下片と、下端側が該垂下片に設けた回動軸に回動可能に支持されると共に回動軸よりも上部に屈折リンク片が接続され且つ所定位置に嵌合穴が形成されたボトル支持体と、を有する本体と、
患者から吸引した体液や分泌物を収容する収容袋を収容するボトルであって、上端が開放され、所定位置に前記本体のボトル支持体に形成された嵌合穴に嵌合して支持される支持突起が形成されたボトルと、を有し、
前記ボトルに形成された支持突起を前記本体のボトル支持体に形成された嵌合穴に嵌合させて支持すると共に、該ボトル支持体を回動軸を中心に回動させて前記蓋体のボトル固定爪を該ボトルの上縁の一部に係合させて前記本体に取り付けるように構成したことを特徴とする医療用吸引器。
【請求項２】
前記本体が前記取付部材に対し着脱可能に構成されていることを特徴とする請求項１に記載した医療用吸引器。
【請求項３】
前記本体のボトル支持体に形成された嵌合穴には該嵌合穴の上端部に配置された回動軸に回動可能に支持された回動片が配置されており、該嵌合穴に前記ボトルに形成された支持突起が嵌合したとき、該支持突起に該回動片の下端が当接するように構成されていることを特徴とする請求項１又は２に記載した医療用吸引器。
【発明の詳細な説明】
【技術分野】
【０００１】
本発明は、患者の体液や分泌物を吸引するための医療用吸引器に関し、特に病室の壁面や支持スタンドなどを含む縦方向の面に取り付けて使用する際に有利な医療用吸引器に関するものである。
【背景技術】
【０００２】
病院や診療所等の医療機関では、手術室や病室に各種の医療用吸引器が設置されている。例えば手術室に設けた医療用吸引器は、手術の際に生じた血液を含む体液や患部を洗浄する際に用いた生理食塩水等を吸引して凝固処理し得るように構成されている。また、病室に設けた医療用吸引器は、たんを含む患者の分泌物を吸引して凝固処理し得るように構成されている。
【０００３】
医療機関で利用される医療用吸引器は、蓋体を被蓋することによって気密状態に保持され、吸引した体液や分泌物等を収容する収容袋を配置したボトルと、このボトルを着脱可能に取り付けて保持するボトル保持体と、を有して構成されるのが一般的である。そして、ボトルの内部に吸引圧力を作用させると共に、蓋体に取り付けた吸引チューブを患部に適用することで、体液や分泌物を吸引して収容袋に収容して凝固処理し、凝固した収容袋ごと廃棄処分し得るように構成されているのが一般的である。
【０００４】
上記の如く構成された医療用吸引器では、ボトルに収容袋を収容する場合、或いは収容された収容袋を取り出す場合には、蓋体を離隔させてボトルを開放することが必要となる。このとき、ボトル側を動かすことなく蓋体を回動させて該ボトルを開放するように構成されるのが一般的である（例えば特許文献１参照）。
【先行技術文献】
【特許文献】
【０００５】
【特許文献１】特許第４６３８３４７号公報
【発明の概要】
【発明が解決しようとする課題】
【０００６】
ボトル側を動かすことなく蓋体を回動させて該ボトルを開放するように構成された医療用吸引器を病室の壁面や支持スタンドなどの縦方向の面に取り付けた場合、蓋体を取り外したボトルが壁面などと平行になり、開口部分が壁面近傍に位置することになる。このため、ボトルに収容袋を収容する作業、収容袋を取り出す作業がし難いという虞がある。
【０００７】
本発明の目的は、壁面や支持スタンドなどの縦方向の面に取り付けた場合でも、ボトルに対する収容袋の収容、取り出しを容易に行える医療用吸引器を提供することにある。
【課題を解決するための手段】
【０００８】
上記課題を解決するために本発明に係る医療用吸引器は、壁面又は支持スタンドを含む縦方向の面に取り付けられる医療用吸引器であって、内部に圧力調整機構が配置されると共に所定位置に取付片が配置された取付部材と、前記取付部材で調整された圧力が作用する通路とボトル固定爪とを有する蓋体と、該蓋体から垂下され下端側に回動軸が配置されると共に該回動軸よりも上部に屈折リンク片が接続された垂下片と、下端側が該垂下片に設けた回動軸に回動可能に支持されると共に回動軸よりも上部に屈折リンク片が接続され且つ所定位置に嵌合穴が形成されたボトル支持体と、を有する本体と、患者から吸引した体液や分泌物を収容する収容袋を収容するボトルであって、上端が開放され、所定位置に前記本体のボトル支持体に形成された嵌合穴に嵌合して支持される支持突起が形成されたボトルと、を有し、前記ボトルに形成された支持突起を前記本体のボトル支持体に形成された嵌合穴に嵌合させて支持すると共に、該ボトル支持体を回動軸を中心に回動させて前記蓋体のボトル固定爪を該ボトルの上縁の一部に係合させて前記本体に取り付けるように構成したことものである。
【０００９】
上記医療用吸引器に於いて、前記本体が前記取付部材に対し着脱可能に構成されていることが好ましい。
【００１０】
また、上記何れかの医療用吸引器に於いて、前記本体のボトル支持体に形成された嵌合穴には該嵌合穴の上端部に配置された回動軸に回動可能に支持された回動片が配置されており、該嵌合穴に前記ボトルに形成された支持突起が嵌合したとき、該支持突起に該回動片の下端が当接するように構成されていることが好ましい。
【発明の効果】
【００１１】
本発明に係る医療用吸引器（以下単に「吸引器」という）では、ボトルを支持するボトル支持体は、下端側が本体の垂下片下端側に配置された回動軸に回動可能に支持されると共に、上部が該回動軸の上部に配置配置された屈折リンク片を介して接続されている。このため、本体を取付部材に取り付けた状態で、該取付部材の取付片を壁面又は支持スタンドを含む縦方向の面（以下単に「壁面」という）に取り付けたとき、ボトル支持体は下端側を中心として回動可能となる。
【００１２】
そして、ボトル支持体の回動に伴って、該ボトル支持体に支持されたボトルを上部の開放部が壁面から離隔した傾斜姿勢とすることができる。従って、ボトルに対する収容袋の収容或いは取り出し作業は壁面に沿った縦方向ではなく、壁面に対して斜め上方からの作業となる。この結果、作業空間を広くすることができ、作業性を向上することができる。
【００１３】
収容袋を収容したボトルをボトル支持体に取り付けて回動させて蓋体に設けたボトル固定爪をボトルの上縁の一部に係合させて固定することができる。このとき、蓋体に形成された通路を介して取付部材に配置された圧力調整機構によって調整された圧力（負圧）がボトルに作用する。このため、患者の体液や分泌物を吸引して収容袋に収容することができる。
【００１４】
また、ボトル支持体に形成された嵌合穴の上端部に回動片を設け、該嵌合穴にボトルの支持突起が嵌合したときに回動片の下端が支持突起に当接するように構成したので、ボトルをボトル支持体に支持したとき、安定した姿勢を保持することができる。
【図面の簡単な説明】
【００１５】
【図１】本実施例に係る吸引器の側面図である。
【図２】図１の正面図と平面図である。
【図３】吸引器の断面構成を説明する図である。
【図４】吸引器の背面の要部を説明する図である、
【図５】ボトルを支持したボトル支持体を傾斜させたときの状態を説明する図である。
【図６】ボトル支持体にボトルを取り付け又は取り外す際の状態を説明する図である。
【発明を実施するための形態】
【００１６】
以下、本発明に係る吸引器の構成について説明する。本発明に係る吸引器は、壁面や支持スタンドなどの縦方向の面に取り付けた状態で、ボトルに対する収容袋の取り付けや取り出しの作業、或いは該本体に対するボトルの取り付け或いは取り外しの作業を容易に行えるようにしたものである。
【００１７】
本実施例に係る吸引器について図１〜図６を用いて説明する。吸引器は、内部に圧力調整機構が、所定位置に取付片が配置された取付部材Ａと、この取付部材Ａに一体化して構成された本体Ｂと、該本体Ｂに着脱可能に構成されたボトルＣと、を有して構成されている。
【００１８】
取付部材Ａと本体Ｂは使用状態で一体化していれば良く、一つのケース内に構成されていても、互い別体として構成されていても良い。本実施例では、取付部材Ａと本体Ｂは別体として構成され、互いに着脱し得るように構成されている。従って、取付部材Ａと本体Ｂを装着したとき、一体化することとなる。
【００１９】
取付部材Ａはケース１を有しており、該ケース１の内部に図３に示す圧力調整機構２が構成されている。この圧力調整機構２は、ケース１の側面に配置された供給ホース３を介して作用する負圧を後述するボトルに対して適度な大きさを持った負圧に調整するものであり、一般的に負圧を所望の圧力に調整する際に利用される圧力調整機構と同様に構成されている。
【００２０】
ケース１の前面側（図１の左側、以下同じ）には摘み４が配置されており、この摘み４を回転させることで、負圧の大きさを調整し得るように構成されている。また、圧力調整機構２の出力側に通路５が形成されており、調整された負圧を該通路５を介して後述する本体Ｂの蓋体１０に作用させることが可能なように構成されている。
【００２１】
ケース１の背面側（図１の右側、以下同じ）には、図示しない壁面に取り付けるための取付片６が配置されている。この取付片６の構造や形状は限定するものではなく、壁面に形成されている吸引器の取付部位の構造や形状に対応した構造、形状を有している。本実施例では、壁面に形成された取付部位がＣ型の溝状に形成されているため、取付片６はこの溝に嵌合する嵌合片６ａを有している。しかし、この形状に限定するものではなく、単に壁面にねじにより固定するようなことであっても良い。
【００２２】
本体Ｂは取付部材Ａの下側面に着脱可能に構成されている。本体Ｂの取付部材Ａに対する着脱構造は限定するものではなく、「あり」と「あり溝」との係合による着脱構造やフックを用いた着脱構造などがある。本実施例では、ありとあり溝との係合により着脱し得るように構成している。
【００２３】
本体ＢはボトルＣを着脱可能に取り付けることが可能で、且つボトルＣを取り付けたとき、ボトルＣとの気密を保持すると共に取付部材Ａで調整した負圧をボトルＣに作用させるものである。このため、患者の体液や分泌物を収容する収容袋ＤをボトルＣに収容して本体Ｂに取り付けたとき、該ボトルＣに作用する負圧に応じて収容袋Ｄに負圧を作用させて体液や分泌物を吸引することが可能である。
【００２４】
特に、本実施例に係る吸引器では、本体Ｂに取り付けたボトルＣを該ボトルＣの下端側を支点として上部開放部が露出するように傾斜させることが可能である。このため、本体Ｂに取り付けたボトルＣに対する収容袋Ｄの取付作業や取出作業を容易に行うことが可能である。
【００２５】
本体Ｂは、取付部材Ａに直接取り付けられる蓋体１０と、蓋体１０の背面側の端部から垂下された垂下片２０と、垂下片２０の下端側に構成されたボトル支持体３０と、を有して構成されている。
【００２６】
蓋体１０には上面に取付部材Ａとの着脱部（「あり」となる一対の突起）が形成されている。また、蓋体１０は下面の一部がボトルＣの上部開放部の上縁４１の形状と等しい形状に形成されており、ボトルＣを本体Ｂに取り付けたとき、該ボトルＣの上部開放部を覆うことが可能な形状を有している。そして、ボトルＣの上部開放部を覆うように形成された部分が取付部材Ａの圧力調整機構２で調整された負圧が作用する通路１１として機能し得るように構成されている。蓋体１０によってボトルＣの上部開放部を覆ったとき、ボトルＣを外気との間に高い気密性を保持させるため、蓋体１０のボトルＣの上縁４１と当接する部分にはパッキン１２が配置されている。
【００２７】
蓋体１０の前面側の所定位置には、ボトル固定爪１３ａが配置されると共に、前面側に突出したボトル固定解除ボタン１３ｂが配置されている。ボトル固定爪１３ａの構造は限定するものではないが、例えばラッチ機構などを採用することが好ましい。
【００２８】
また、蓋体１０の上部には、本体Ｂを取付部材Ａに取り付けた後、この取付状態を解除するための解除ボタン１４が配置されている。また、蓋体１０の背面側には、該蓋体１０から垂下する垂下片２０が配置されている。
【００２９】
垂下片２０は、下端側にボトルＣを支持するボトル支持体３０を回動可能に取り付けて構成されている。垂下片２０は、一対のフランジ２０ａと、これら一対のフランジ２０ａを接続するウエブ２０ｂと、からなるコ字状の部材として形成されており、ウエブ２０ｂが前面側に、フランジ２０ａが背面側に向くようにして配置されている。そして、ウエブ２０ｂの上端側が蓋体１０に固定されている。また、ウエブ２０ｂの略中央の所定位置には、長方形状の窓２０ｃが開口している。
【００３０】
ボトル支持体３０はボトルＣを着脱可能に支持するものであり、垂下片２０の下端側に回動可能に取り付けられている。そして、ボトル支持体３０にボトルＣを着脱する際に、或いは取り付けたボトルＣに対する収容袋Ｄの取付作業、取外作業を行う際には該ボトルＣを上部開放部が露出するように回動させることが可能である。このため、これらの作業をボトルＣの斜め上方から行うことが可能となり、目的の作業を容易に行うことが可能となる。
【００３１】
ボトル支持体３０は、夫々垂下片２０のフランジ２０ａの外側を覆うように配置された一対のフランジ３０ａと、垂下片２０のウエブ２０ｂの前面側に配置されて一対のフランジ３０ａを接続する支持板３０ｂとからなるコ字状の部材として構成されている。また、支持板３０には垂下片２０のウエブ２０ｂに形成した窓２０ｃと同じ位置に嵌合穴３１が形成されている。
【００３２】
垂下片２０の下端側には回動軸２１ａを有する蝶番２１が配置され、該蝶番２１の一方の片２１ｂが該垂下片２０のウエブ２０ｂの下端側に固定されると共に、他方の片２１ｃがボトル支持体３０の支持板３０ｂの下端側に固定されている。このため、ボトル支持体３０は垂下片２０に対し、下端側を中心として回動可能に構成されている。
【００３３】
垂下片２０の一対のフランジ２０ａとボトル支持体３０の一対のフランジ３０ａは互いに屈折リンク２２を介して接続されている。即ち、屈折リンク２２の一方のリンク片２２ａが垂下片２０のフランジ２０ａの上部側に回動可能に取り付けられており、他方のリンク片２２ｂがボトル支持体３０のフランジ３０ａの上部側に回動可能に取り付けられている。
【００３４】
また、垂下片２０のフランジ２０ａに於けるリンク片２２ａの接続部位の近傍には、回動したリンク片２２ａに接触して該リンク片２２ａの回動を制限する接触片２３が設けられている。このため、ボトル支持体３０の回動軸２１ａを中心とする回動可能な角度の範囲は、屈折リンク２２の寸法や接触片２３までの回動角度などの条件によって制限される。
【００３５】
ボトル支持体３０の回動角度の範囲を特に限定するものではない。しかし、ボトル支持体３０を前面側に回動させて傾斜させたとき、支持したボトルＣの上端開放部が略全面にわたって露出し得ることが好ましい。このように、ボトルＣの上部開放部が露出することで、内部を容易に視認することが可能であり、且つ収容袋を収容する作業、或いは収容した収容袋を取り出す作業を楽な姿勢で、確実に行うことが可能となる。
【００３６】
ボトル支持体３０の支持板３０ｂに形成された嵌合穴３１は、ボトルＣに形成された支持突起４４を受け入れると共に係止して支持するものである。このため、嵌合穴３１は支持突起４４の形状に対応した形状を有しており、上部側には支持突起４４を受け入れることが可能な長方形部３１ａが、該長方形部３１ａの下部に連続して逆三角形部３１ｂが形成されている。
【００３７】
嵌合穴３１の上端部には回動軸３２が配置されており、この回動軸３２に回動片３３が回動可能に取り付けられている。回動片３３は嵌合穴３１にボトルＣの支持突起４４が嵌合したとき、下端が支持突起４４の上端面に当接してボトルＣの嵌合穴３１からの離脱を防ぐ機能を有するものである。このため、回動片３３の背面側の下端部に突起３３ａが形成されており、該突起３３ａによって回動片３３を確実に回動させることが可能なように構成されている。
【００３８】
ボトルＣは患者の体液や分泌物を収容する収容袋Ｄを収容すると共に、該収容袋Ｄに負圧を作用させて患者からの吸引を行わせるものである。ボトルＣは本体Ｂの蓋体１０の下面の形状と対応した形状を有する上縁４１を有する容器として構成されている。
【００３９】
ボトルＣの前面側には取っ手４２が形成され、この取っ手４２を把持することで、運搬作業や清掃を行うことが可能である。また、取っ手４２の上部には窪み４３が形成されており、収容袋Ｄを収容したとき、該収容袋Ｄの吸引ホースなどを窪み４３を介して外部に配置し得るように構成されている。
【００４０】
ボトルＣの背面側にはボトル支持体３０の嵌合穴３１に支持される支持突起４４が形成されている。この支持突起４４は、嵌合穴３１の逆三角形部３１ｂと対応した逆三角形状に形成されると共にボトル支持体３０の支持板３０ｂの厚さに対応した高さを有する係止部４４ａと、係止部４４ａが逆三角形部３１ｂに係合したとき、支持板３０ｂの背面に係合して係止されるフランジ４４ｂを有している。
【００４１】
次に、本体Ｂに取り付けたボトルＣを取り外す際の手順について図５、図６により説明する。
【００４２】
先ず、蓋体１０に配置されている固定解除ボタン１３ｂを押圧すると、ボトルＣの上縁４１の一部に係合していた固定爪１３ａが引き込まれ、該固定爪１３ａによるボトルＣの固定が解除される。
【００４３】
次いで、ボトルＣの取っ手４２を把持して図５に於ける反時計方向に回動させると、ボトルＣ及び該ボトルＣを支持しているボトル支持体３０が蝶番２１の回動軸２１ａを中心として屈折リンク２２の回動限まで回動する。この結果、同図に示すように、ボトルＣの上部開放部が露出して内部を視認し得るようになる。この状態で、ボトルＣの内部に収容袋Ｄを収容し、或いは収容されている収容袋Ｄを取り出すことが可能である。
【００４４】
ボトル支持体３０に支持されているボトルＣを取り外す場合、前述の状態でボトル支持体３０の嵌合穴３１に配置された回動片３３を反時計方向に回動させて、該回動片３３の支持突起４４に対する当接状態を解除する。その後、ボトルＣの取っ手４２を把持して上方に持ち上げることで、支持突起４４をボトル支持体３０の嵌合穴３１から離脱させることが可能である。ボトルＣをボトル支持体３０から離脱させると、回動片３３は突起３３ａの重さにより時計方向に回動して初期の位置に戻る。
【００４５】
ボトルＣをボトル支持体３０に取り付ける際には、前述の手順を逆に行うことで良い。
【産業上の利用可能性】
【００４６】
本発明に係る吸引器は、ボトルに対する収容袋の取り付けや取り付ける際の作業性を向上することが可能であり、病室や支持スタンドなどの縦方向の面に取り付けて体液や分泌物を吸引する吸引器として利用して有利である。
【符号の説明】
【００４７】
Ａ              取付部材
Ｂ              本体
Ｃ              ボトル
Ｄ              収容袋
１              ケース
２              圧力調整機構
３              供給ホース
４              摘み
５、１１        通路
６              取付片
６ａ            嵌合片
１０            蓋体
１２            パッキン
１３ａ          ボトル固定爪
１３ｂ          ボトル固定解除ボタン
１４            解除ボタン
２０            垂下片
２０ａ、３０ａ  フランジ
２０ｂ          ウエブ
２０ｃ          窓
２１            蝶番
２１ａ          回動軸
２１ｂ、２１ｃ  片
２２            屈折リンク
２２ａ、２２ｂ  リンク片
２３            接触片
３０            ボトル支持体
３０ｂ          支持板
３１            嵌合穴
３１ａ          長方形部
３１ｂ          逆三角形部
３２            回動軸
３３            回動片
３３ａ          突起
４１            上縁
４２            取っ手
４３            窪み
４４            支持突起
４４ａ          係止部
４４ｂ          フランジ
【図１】
2020032016.tif 000003
【図２】
2020032016.tif 000004
【図３】
2020032016.tif 000005
【図４】
2020032016.tif 000006
【図５】
2020032016.tif 000007
【図６】
2020032016.tif 000008